(57)【要約】【課題】円筒状の被加工面に対するドリル、タップ等の加工用工具の位置決めを正確に、しかも安定性よく行う。【解決手段】円筒状の被加工面14を加工するドリル、タップ等の回転加工用の工具１を前部３Ａに回動自在に設けた工具駆動本体２にアタッチメント６を取り付ける。アタッチメント６は、工具駆動本体２に着脱自在に固定される取り付け体７と、前部３Ａの前方に一体的となって前後方向に移動自在に設けられ開口部15側を前向きとして挟角Ａが前記工具１の軸線Ｘを中心として１８０度未満の左右一対の当接平面８Ａ，９Ａを前部に設けた当接体８，９と、取り付け体７と当接体８，９との間に介在する弾性手段を備える。当接平面８Ａ，９Ａは円筒状の被加工面14を逆Ｖ形に跨ぐように当接できると共に、当接平面８Ａ，９Ａと被加工面14との接触は被加工面14を挟んだ左右一対の線接触となってアタッチメント６を設置できる。【選択図】図１
0003125001.tif 000002
【実用新案登録請求の範囲】
【請求項１】
円筒状の被加工面を加工するドリル、タップ等の加工用の工具を前部に回動自在に設けた工具駆動本体に取り付けられるアタッチメントにおいて、前記工具駆動本体に着脱自在に固定される取り付け体と、前記前部の前方に一体的となって前後方向に移動自在に設けられ開口部を前向きとして挟角が前記工具の軸線を中心として１８０度未満の左右一対の当接平面を前部に設けた当接体とを備えたことを特徴とするアタッチメント。
【請求項２】
前記左右一対の当接平面の中間部に前記工具の貫通部を設け、前記取り付け体と前記当接体との間に介在し前記当接体を前記取り付け体に対して近接方向に対して弾発付勢する弾性手段とを備えたことを特徴とする請求項１記載のアタッチメント。
【請求項３】
前記左右一対の当接平面は左右対称に設けられ、前記当接体に前部を固定した案内用の支軸を後方へ向けて突設し、この支軸の後側を前記取り付け体にそれぞれ摺動自在に設け、前記弾性手段を前記支軸に巻装したコイルスプリングにより形成したことを特徴とする請求項２記載のアタッチメント。
【請求項４】
前記当接平面の外側に張り出し面を設けると共に、この張り出し面は前記軸線に対して直交方向に設けることを特徴とする請求項１〜３のいずれか１項に記載のアタッチメント。
【請求項５】
前記支軸に雄螺子部を長手方向に形成すると共に、該雄螺子部に雌螺子体を螺合し、前記弾性手段を前記雌螺子体と前記取り付け体側に介在することを特徴とする請求項３記載のアタッチメント。
【請求項６】
前記当接平面及び前記張り出し面のうち少なくとも前記当接平面に表面保護層を設けたことを特徴とする請求項４記載のアタッチメント。
【請求項７】
請求項１〜６のいずれかに記載のアタッチメントを、前記工具駆動本体を形成する電動ドリル装置本体の前記前部に取り付けたことを特徴とする電動ドリル装置。
【考案の詳細な説明】
【技術分野】
【０００１】
本考案は、円筒状の被加工面をドリル、タップ等の加工用の工具を用いて加工するためのアタッチメント及び電動ドリル装置に関する。
【背景技術】
【０００２】
従来、ドリル、タップ等を加工面に対して垂直に穴あけをすることは、熟練と慎重な見極めが必要であった。このために熟練者でない者が穴あけ作業を行うと、正確に穴あけができないばかりか、ドリル、タップ等を曲げた上でさらには折ってしまう等のトラブルも起こってしまう。
【０００３】
このような問題点を解決するものとして電動ドリルに取り付けられ、円筒状面からの対象物の削孔を補助する電動ドリルの削孔用アタッチメントであり、ドリルの出力軸近傍に接続され、出力軸端に設けた削孔ビットを円筒状面に当て、ドリル本体に推力を加えて円筒状面を削孔させる際に、削孔ビットの削孔軸心を設定する削孔ビットの芯出し手段を含む電動ドリルの削孔用アタッチメントであって、前記芯出し手段は、対象物の円筒状面に沿って挟持状に当てがわれる一対の挟持子を含み、ドリル本体と一対の挟持子間に介装され、ドリル本体と各挟持子間を弾性的に接続する弾性手段を設け、削孔ビットを円筒状面に当て、ドリル本体に推力を加えて円筒状面を削孔させる間中、削孔ビットの削孔軸心を設定する削孔ビットの芯出し手段を含むから、円筒状面を有する対象物の削孔作業を簡単で安定して短時間で行なうことが可能な電動ドリルの削孔用アタッチメントが知られている（例えば、特許文献１）。
【特許文献１】特開２００４−４２２４３号公報
【考案の開示】
【考案が解決しようとする課題】
【０００４】
しかし、前記従来技術のものでは、対象物の円筒状面に沿って一対の挟持子を挟持状に当てがうものであり、このため対象物の円筒状と挟持子との接触は面接触となる。したがって、対象物の円筒状と挟持子との接触点位置の正確さは低くなり、この結果円筒状の被加工面に対するドリル、タップ等回転加工用の工具の位置決めを正確に行いにくくなる。
【０００５】
解決しようとする問題点は、円筒状の被加工面に対するドリル、タップ等の加工用工具の位置決めを正確に、しかも安定性よく行う点である。
【課題を解決するための手段】
【０００６】
請求項１の考案は、円筒状の被加工面を加工するドリル、タップ等の加工用の工具を前部に回動自在に設けた工具駆動本体に取り付けられるアタッチメントにおいて、前記工具駆動本体に着脱自在に固定される取り付け体と、前記前部の前方に一体的となって前後方向に移動自在に設けられ開口部を前向きとして挟角が前記工具の軸線を中心として１８０度未満の左右一対の当接平面を前部に設けた当接体とを備えたことを特徴とするアタッチメントである。
【０００７】
請求項２の考案は、前記左右一対の当接平面の中間部に前記工具の貫通部を設け、前記取り付け体と前記当接体との間に介在し前記当接体を前記取り付け体に対して近接方向に対して弾発付勢する弾性手段とを備えたことを特徴とする請求項１記載のアタッチメントである。
【０００８】
請求項３の考案は、前記左右一対の当接平面は左右対称に設けられ、前記当接体に前部を固定した案内用の支軸を後方へ向けて突設し、この支軸の後側を前記取り付け体にそれぞれ摺動自在に設け、前記弾性手段を前記支軸に巻装したコイルスプリングにより形成したことを特徴とする請求項２記載のアタッチメントである。
【０００９】
請求項４の考案は、前記当接平面の外側に張り出し面を設けると共に、この張り出し面は前記軸線に対して直交方向に設けることを特徴とする請求項１〜３のいずれか１項に記載のアタッチメントである。
【００１０】
請求項５の考案は、前記支軸に雄螺子部を長手方向に形成すると共に、該雄螺子部に雌螺子体を螺合し、前記弾性手段を前記雌螺子体と前記取り付け体側に介在することを特徴とする請求項３記載のアタッチメントである。
【００１１】
請求項６の考案は、前記当接平面及び前記張り出し面のうち少なくとも前記当接平面に表面保護層を設けたことを特徴とする請求項５記載のアタッチメントである。
【００１２】
請求項７の考案は、請求項１〜６のいずれかに記載のアタッチメントを、前記工具駆動本体を形成する電動ドリル装置本体の前記前部に取り付けたことを特徴とする電動ドリル装置である。
【考案の効果】
【００１３】
請求項１の考案によれば、当接平面と被加工面との接触は被加工面を挟んだ左右一対の線接触となってアタッチメントを安定的に被加工面上に正確に設置して、被加工面を工具により安定状態で加工することができる。
【００１４】
請求項２の考案によれば、中間部にある貫通部が穴あけの位置決め箇所となり、さらに弾性手段を備えたことにより、当接体が被加工面に当接した状態で取り付け体、ひいては工具を弾性力により被加工面より遠ざけておくことができる
請求項３の考案によれば、当接平面は円筒状の被加工面に当接したとき左右対称となって正確に設置できると共に、当接体は取り付け体に対して左右一対の支軸により安定して支持され、しかも弾性手段と支軸とを同軸状とすることで、工具周りをコンパクトに形成することができる。
【００１５】
請求項４の考案によれば、円筒状の被加工面の他に、水平な被加工面などであっても利用することができる。
【００１６】
請求項５の考案によれば、雌螺子体と取り付け体側間の長さを調節することにより、弾性手段の弾性力を簡単に調節することができる。
【００１７】
請求項６の考案によれば、表面保護層を設けたことで、被加工面を傷つけることなく当接平面を当接することができる。
【００１８】
請求項７の考案によれば、電動ドリルを利用して円筒状面を有する対象物の加工を安定して短時間で行なうことができるようになる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図はー実施例を示しており、ドリル、タップ或いは削孔ビット等の回転加工用の工具１を取り付けて回転駆動させる工具駆動本体２である電動ドリル本体は回転出力を生成する機構部（図示せず）を内蔵した本体ケース３と、本体ケース３の前部３Ａから突出状に接続させた回転出力軸（図示せず）に装着し工具１を直接取り付ける取り付け具たるチャック４と、本体ケース３の後部に設けられるハンドル５とを備え、機構部で発生した回転力を回転出力軸、チャック４を介して工具１を回転駆動するようになっている。
【００２１】
そして、本体ケース３の前部３Ａであってチャック４に沿った部分にアタッチメント６が着脱可能に取り付けられている。このアタッチメント６は、前記前部３Ａに着脱自在に固定される取り付け体７と、前部３Ａの前方に一体的となって前後方向に移動自在に設けられる左右一対の平板状の当接体８，９と、取り付け部と当接体８，９との間に介在し、当接体８，９を取り付け体７に対して近接方向に対して弾発付勢するコイルスプリング状の弾性手段10とを備えたものである。そして取り付け体７は中央に回転出力軸の軸線Ｘ、すなわち工具１の軸線Ｘと直交する方向、すなわち左右方向に張り出しており、その中央に前部３Ａが嵌合する嵌合孔11が貫通して形成されており、この嵌合孔11には内外を連通する割り溝12が１箇所形成されていると共に、この割り溝12には該割り溝12の幅を狭める締め付け具13が装着されている。当接体８，９は円筒状の被加工面14を逆Ｖ形に跨ぐように開口部15を前向きとして当接可能に設けられ挟角Ａが工具１の軸線Ｘを中心として１８０度未満（Ａ＜１８０度）の左右一対の当接平面８Ａ，９Ａを前面に左右対称に設けている。当接平面８Ａ，９Ａとは曲率を有するような面ではなく、平板面のような平らな面によって形成されており、そして実施例では挟角Ａを例えば１２０度に形成している。さらに、左右一対の当接平面８Ａ，９Ａの中間部には、当接体８，９を関数する工具１の貫通部16を軸線Ｘ上に設けている。また、当接平面８Ａ，９Ａの外側には張り出し面８Ｂ，９Ｂを当接体８，９と一体に設けると共に、この張り出し面８Ｂ，９Ｂは前記軸線Ｘに対して直交方向に配置されている。また、当接平面８Ａ，９Ａ及び張り出し面８Ｂ，９Ｂには表面保護層17が設けられている。この表面保護層17は少なくとも当接平面８Ａ，９Ａに設けられるものであって、ゴムや滑りの良い樹脂材等によって形成されるものである。
【００２２】
そして、当接体８，９の左右、すなわち張り出し面８Ｂ，９Ｂの後方に前部を固定した案内用の支軸18を後方へ向けて突設し、さらに支軸18の後側を取り付け体７の左右にそれぞれ前後方向に設けた貫通孔19に摺動自在に設ける。尚、貫通孔19を貫通した支軸18の後側端には該支軸18より径大な抜け止め用のストパー20が設けられ、このストパー20が取り付け体７の後部に係止することで抜け止めがなされる。支軸18には雄螺子部21を長手方向に形成すると共に、該雄螺子部21にナットや雌螺子筒等の雌螺子体22を螺合し、雌螺子体22の後部と取り付け体７の前部との間に弾性手段10であるコイルスプリングを支軸18に巻装した状態で間接的に介在している。
【００２３】
次に前記構成について説明する。工具１をチャック４に取り付けた後に、被加工面14に工具１の前部３Ａが対向するように電動ドリル本体である工具駆動本体２を配置し、そして作業者は左右一対の当接平面８Ａ，９Ａが被加工面14を跨ぐように当接する。この当接状態は被加工面14の一側に、一側の当接平面８Ａが表面保護層17を介して線接触するものである。これは円筒状の被加工面14に対して平らな当接平面８Ａが接触するためである。同様に被加工面14の他側に、他側の当接平面９Ａが線接触する。これにより左右一対の線接触部の中間部に軸線Ｘが、円筒状の被加工面14の中心部方向に向かって配置される。この際には電動ドリル本体と共に工具１は被加工面14より離間している。これは前部３Ａを雄雌螺体に係止された弾性手段10が取り付け体７を介して工具駆動本体２を離間する方向に付勢しているためである。尚、セット時における貫通部16から該貫通部16に対向する工具１までの高さを雌螺子体22を回動して雄螺子部21に沿って移動することで、弾性手段10の弾性力を調整することができる。すなわち、セット時において工具１を貫通孔19より離すときには雌螺子体22を後方に移動すればよいし、一方セット時において工具１を貫通孔19に近づけるときには雌螺子体22を前方に移動すればよい。
【００２４】
そして、電動ドリル本体を弾性手段10の弾性力に抗して前方へ押圧すると共に、機構部で回転力を発生させてチャック４を回転駆動する。この際には、左右一対の当接平面８Ａ，９Ａが被加工面14に接触した状態を保ったままで、工具１は貫通部16を通ると共に被加工面14における曲率半径の中心部（図示せず）に向かって前進することで被加工面14に穴あけ作業を行うことができる。穴あけ作業後には、工具駆動本体２への押圧力を解除することで弾性手段10の弾性復元力が生じ、この復元力によって工具駆動本体２が後方へ移動して工具１が穴より抜け出るものである。
【００２５】
そして、図３の１点鎖線に示すように直径の小さい被加工面14Ａにおいては、左右一対の当接平面８Ａ，９Ａの内側が被加工面14Ａに接触した状態を保ったままで穴あけ作業を行うことができる。
【００２６】
一方、図３の２点鎖線に示すように平面状の被加工面14Ｂにおいては、左右一対の当接平面８Ａ，９Ａの外側に配置された左右一対の張り出し面８Ｂ，９Ｂが被加工面14Ｂに接触した状態を保ったままで穴あけ作業を行うことができる。
【００２７】
以上のように、前記実施例では請求項１に対応して、円筒状の被加工面14を加工するドリル、タップ等の回転加工用の工具１を前部３Ａに回動自在に設けた工具駆動本体２に取り付けられるアタッチメント６において、前記工具駆動本体２に着脱自在に固定される取り付け体７と、前記前部３Ａの前方に一体的となって前後方向に移動自在に設けられ開口部15側を前向きとして挟角Ａが前記工具１の軸線Ｘを中心として１８０度未満の左右一対の当接平面８Ａ，９Ａを前部に設けた当接体８，９とを備えたことによって、当接平面８Ａ，９Ａは円筒状の被加工面14を逆Ｖ形に跨ぐように当接できると共に、当接平面８Ａ，９Ａと被加工面14との接触は被加工面14を挟んだ左右一対の線接触となってアタッチメント６、ひいては工具駆動本体２を、正確また安定的に被加工面14上に設置でき、このため工具１を前進させて被加工面14を穴あけ等の加工時において、工具１を安定状態として加工を行うことができる。
【００２８】
また、前記実施例では請求項２に対応して、前記左右一対の当接平面８Ａ，９Ａの中間部に前記工具１の貫通部16を設けたことにより、中間部（貫通部16）が穴あけの位置決め箇所となり、正確な位置に穴を形成することができる。また、取り付け体７と当接体８，９との間に介在し当接体８，９を取り付け体７に対して近接方向に対して弾発付勢する弾性手段10とを備えたことにより、当接体８，９が被加工面14に当接した状態で取り付け体７、ひいては工具１を弾性力により被加工面14より遠ざけておくことにより、当接体８，９を被加工面14に当接した際に工具１が被加工面14に当たり折れてしまうことを阻止でき、安心して使用できる。
【００２９】
さらに、前記実施例では請求項３に対応して、左右一対の当接平面８Ａ，９Ａは左右対称に設けられたことにより、当接平面８Ａ，９Ａは円筒状の被加工面14に当接したとき左右対称となって正確に設置でき、さらに、当接体８，９の左右に前部を固定した案内用の支軸18を後方へ向けて突設し、この支軸18の後側を取り付け体７の左右それぞれ摺動自在に設けたことにより、当接体８，９は取り付け体７に対して左右一対の支軸18により安定して支持され、加工時の安定性を向上することができる。また、弾性手段10を支軸18に巻装したコイルスプリングにより形成して、弾性手段10と支軸18とを同軸状とすることで、工具１周りをコンパクトに形成することができる。
【００３０】
さらに、前記実施例では請求項４に対応して、当接平面８Ａ，９Ａの外側に張り出し面８Ｂ，９Ｂを設けると共に、この張り出し面８Ｂ，９Ｂは前記軸線Ｘに対して直交方向に設けることで、円筒状の被加工面14，14Ａの他に、水平な被加工面14Ｂなどであっても、穴あけ加工を行うことができる。
【００３１】
また、前記実施例では請求項５に対応して、支軸18に雄螺子部21を長手方向に形成すると共に、該雄螺子部21に雌螺子体22を螺合し、弾性手段10を雌螺子体22と取り付け体７側に介在することで、雌螺子体22を回動し雄螺子部21に沿って移動して、雌螺子体22と取り付け体７側間の長さを調節することにより、弾性手段10の弾性力をも簡単に調節することができる。
【００３２】
また、前記実施例では請求項６に対応して、前記当接平面８Ａ，９Ａ及び前記張り出し面８Ｂ，９Ｂのうち少なくとも前記当接平面８Ａ，９Ａに表面保護層17を設けたことで、傷つけることなく当接平面８Ａ，９Ａを被加工面14に当接することができる。
【００３３】
しかも、前記実施例では請求項７に対応して、アタッチメント６を、前記工具駆動本体２を形成する電動ドリル装置本体の前部３Ａに取り付けたことで、電動ドリルを利用して円筒状面を有する対象物の加工を安定して短時間で行なうことが可能であるという効果を奏する。
【産業上の利用可能性】
【００３４】
以上のように本考案に係るアタッチメント及び電動ドリル装置は、各種の用途に適用できる。
【図面の簡単な説明】
【００３５】
【図１】本考案のー実施例を示す全体斜視図である。
【図２】同要部の斜視図である。
【図３】同穴あけ前の要部の正面図である。
【図４】同穴あけ後の要部の正面図である。
【符号の説明】
【００３６】
１  工具
２  工具駆動本体
３Ａ  前部
６  アタッチメント
７  取り付け体
８，９  当接体
８Ａ，９Ａ  当接平面
10  弾性手段
14  被加工面
15  開口部
16  貫通部
17  表面保護層
18  支軸
21  雄螺子部
22  雌螺子体
Ａ  挟角
Ｘ  軸線
【図１】
0003125001.tif 000003
【図２】
0003125001.tif 000004
【図３】
0003125001.tif 000005
【図４】
0003125001.tif 000006